(57)【要約】      （修正有）【課題】複数の食品処理装置を管理する際に、認証処理に用いられる情報の管理を容易にすることができる食品処理装置管理システムおよび食品処理装置管理方法を提供する。【解決手段】食品処理装置管理システムは、生体情報取得部と、一の第１記憶部と、第２記憶部と、認証部と、管理部とを備える。生体情報取得部は、食品処理装置の使用者の生体情報を取得する。第１記憶部は、使用者ごとに、使用者を一意に識別するための使用者識別情報と生体情報とを関連付けて記憶する。第２記憶部は、食品処理装置を用いて使用者が実行可能な処理に関する実行可否情報を記憶する。認証部は、生体情報取得部が取得した生体情報と、第１記憶部に記憶されている生体情報とに基づいて、使用者の認証を行う。管理部は、第２記憶部に記憶されている実行可否情報に基づいて、認証部によって認証された使用者が、食品処理装置による処理を実行可能な状態にする。【選択図】図１１
2019067213.tif 000002
【特許請求の範囲】
【請求項１】
食品を製造するラインにおいて前記食品を処理する複数の食品処理装置を管理するシステムであって、
前記食品処理装置の使用者の生体情報を取得する生体情報取得部と、
前記使用者ごとに、前記使用者を一意に識別するための使用者識別情報と前記生体情報とを関連付けて記憶する一の第１記憶部と、
前記食品処理装置を用いて前記使用者が実行可能な処理に関する実行可否情報を記憶する第２記憶部と、
前記生体情報取得部が取得した前記生体情報と、前記第１記憶部に記憶されている前記生体情報とに基づいて、前記使用者の認証を行う認証部と、
前記第２記憶部に記憶されている前記実行可否情報に基づいて、前記認証部によって認証された前記使用者が、前記食品処理装置による前記処理を実行可能な状態にする管理部と、
を備える、食品処理装置管理システム。
【請求項２】
複数の前記食品処理装置をさらに備える、
請求項１に記載の食品処理装置管理システム。
【請求項３】
前記食品処理装置は、前記食品に含まれる異物の有無を判定する前記処理を行う、
請求項２に記載の食品処理装置管理システム。
【請求項４】
複数の前記食品処理装置のそれぞれは、少なくとも１つの前記生体情報取得部を有し、
前記第１記憶部は、いずれかの前記生体情報取得部が取得した前記生体情報と、前記使用者識別情報とを関連付けて記憶する、
請求項２または３に記載の食品処理装置管理システム。
【請求項５】
複数の前記食品処理装置のそれぞれは、前記第２記憶部を有する、
請求項２から４のいずれか１項に記載の食品処理装置管理システム。
【請求項６】
前記認証部によって認証された前記使用者と、前記管理部によって前記使用者が実行可能な状態になった前記処理とを関連付けて記憶する第３記憶部をさらに備える、
請求項１から５のいずれか１項に記載の食品処理装置管理システム。
【請求項７】
前記第３記憶部は、関連付けて記憶された、前記認証部によって認証された前記使用者と、前記管理部によって前記使用者が実行可能な状態になった前記処理とに対する変更および削除を受け付けないように構成されている、
請求項６に記載の食品処理装置管理システム。
【請求項８】
前記第３記憶部は、前記食品処理装置ごとに、前記認証部によって認証された前記使用者と、前記管理部によって前記使用者が実行可能な状態になった前記処理とを関連付けて記憶する、
請求項６または７に記載の食品処理装置管理システム。
【請求項９】
前記第２記憶部は、前記使用者識別情報と前記実行可否情報とを関連付けて記憶する、
請求項１から８のいずれか１項に記載の食品処理装置管理システム。
【請求項１０】
食品を処理する複数の食品処理装置を管理する方法であって、
前記食品処理装置の使用者の生体情報を取得し、
前記使用者ごとに、前記使用者を一意に識別するための使用者識別情報と前記生体情報とを関連付けて記憶し、
前記食品処理装置を用いて前記使用者が実行可能な処理に関する実行可否情報を記憶し、
取得された前記生体情報と、前記使用者識別情報と関連付けて記憶されている前記生体情報とに基づいて、前記使用者の認証を行い、
記憶されている前記実行可否情報に基づいて、認証された前記使用者が、前記食品処理装置による前記処理を実行可能な状態にする、
食品処理装置管理方法。
【発明の詳細な説明】
【技術分野】
【０００１】
本発明は、複数の食品処理装置を管理するためのシステムおよび方法に関する。
【背景技術】
【０００２】
食品の製造工程では様々な食品処理装置が用いられている。食品処理装置は、例えば、Ｘ線および光（可視光線、赤外線および紫外線等）を用いて食品中の異物を検査する装置、食品の重量を測定して選別する装置、食品の包装のシール部をチェックする装置、食品の包装に貼付されるラベルに印字を行う装置、および、食品の温度および食品に使用される薬剤の濃度等を管理する装置等である。このような食品処理装置は、食品の安全性および品質を担保するために、使用前に検出感度等の調整および試験が適切に行われる必要がある。しかし、検出感度等の調整および試験は、所定の研修を受けた知識および技能のある管理者でなければ、適切に行うことができない。また、ラベルに印字される内容の確認、および、食品処理装置の定期的な保守管理等も、権限および責任のある管理者が行わなければならない。そのため、従来、食品処理装置は、所定の権限を有する使用者である管理者が行うべき特定の処理については、使用者が管理者であるか否かの認証を行う機能を有している。
【０００３】
例えば、特許文献１（特開２０１４−７１０７２号公報）に開示されるように、アンテナを有する食品処理装置であって、所定の端末を保持する使用者がアンテナに接近すると、使用者の人体を介して使用者の保持する端末との間で情報を通信して、使用者の認証処理を行う装置が知られている。また、従来、使用者の認証処理には、使用者ごとに割り当てられたＩＤカード、および、使用者ごとに設定されたパスワード等も利用されている。
【発明の概要】
【発明が解決しようとする課題】
【０００４】
しかし、食品の製造ラインにおいて複数台の食品処理装置が使用される場合、従来、食品処理装置ごとに使用者の認証処理に関する設定を行う必要がある。この場合、食品処理装置および使用者の数が多いほど、認証処理に関する設定の登録および変更に時間がかかり、設定に関する情報の管理が複雑になるおそれがある。
【０００５】
本発明の目的は、使用者を認証する機能を有する複数の食品処理装置を管理する際に、認証処理に用いられる情報の管理を容易にすることができる食品処理装置管理システムおよび食品処理装置管理方法を提供することである。
【課題を解決するための手段】
【０００６】
本発明に係る食品処理装置管理システムは、生体情報取得部と、一の第１記憶部と、第２記憶部と、認証部と、管理部とを備える、食品を製造するラインにおいて食品を処理する複数の食品処理装置を管理するシステムである。生体情報取得部は、食品処理装置の使用者の生体情報を取得する。第１記憶部は、使用者ごとに、使用者を一意に識別するための使用者識別情報と生体情報とを関連付けて記憶する。第２記憶部は、食品処理装置を用いて使用者が実行可能な処理に関する実行可否情報を記憶する。認証部は、生体情報取得部が取得した生体情報と、第１記憶部に記憶されている生体情報とに基づいて、使用者の認証を行う。管理部は、第２記憶部に記憶されている実行可否情報に基づいて、認証部によって認証された使用者が、食品処理装置による処理を実行可能な状態にする。
【０００７】
この食品処理装置管理システムは、食品処理装置の使用者の認証処理に必要な使用者の生体情報のデータを一元管理することができる。従って、この食品処理装置管理システムは、使用者を認証する機能を有する複数の食品処理装置を管理する際に、認証処理に用いられる情報の管理を容易にすることができる。
【０００８】
また、本発明に係る食品処理装置管理システムは、複数の食品処理装置をさらに備えることが好ましい。
【０００９】
この食品処理装置管理システムは、複数の食品処理装置の使用者の認証処理に必要な使用者の生体情報のデータを一元管理することができる。従って、この食品処理装置管理システムは、使用者を認証する機能を有する複数の食品処理装置を管理する際に、認証処理に用いられる情報の管理を容易にすることができる。
【００１０】
また、本発明に係る食品処理装置管理システムでは、食品処理装置は、食品に含まれる異物の有無を判定する処理を行うことが好ましい。
【００１１】
この食品処理装置管理システムは、食品処理装置が食品に含まれる異物を検出することで、食品の安全性および質を担保することができる。
【００１２】
また、本発明に係る食品処理装置管理システムでは、複数の食品処理装置のそれぞれは、少なくとも１つの生体情報取得部を有することが好ましい。この場合、第１記憶部は、いずれかの生体情報取得部が取得した生体情報と、使用者識別情報とを関連付けて記憶する。
【００１３】
この食品処理装置管理システムでは、いずれか１つの食品処理装置に使用者が生体情報を登録すると、当該使用者は、全ての食品処理装置で認証処理を行うことができる。
【００１４】
また、本発明に係る食品処理装置管理システムでは、複数の食品処理装置のそれぞれは、第２記憶部を有することが好ましい。
【００１５】
この食品処理装置管理システムは、食品処理装置ごとに、使用者が実行可能な処理を管理することができる。
【００１６】
また、本発明に係る食品処理装置管理システムは、認証部によって認証された使用者と、管理部によって使用者が実行可能な状態になった処理とを関連付けて記憶する第３記憶部をさらに備えることが好ましい。
【００１７】
この食品処理装置管理システムは、認証された使用者と、認証後の使用者の作業内容とを関連付けて記憶することで、食品のトレーサビリティを向上させることができる。
【００１８】
また、本発明に係る食品処理装置管理システムでは、第３記憶部は、関連付けて記憶された、認証部によって認証された使用者と、管理部によって使用者が実行可能な状態になった処理とに対する変更および削除を受け付けないように構成されていることが好ましい。
【００１９】
この食品処理装置管理システムは、既に記憶された使用者と、認証後の使用者の作業内容とが変更および削除できないので、これらの情報の改竄が防止でき、記憶された情報の信頼性を向上させることができる。
【００２０】
また、本発明に係る食品処理装置管理システムでは、第３記憶部は、食品処理装置ごとに、認証部によって認証された使用者と、管理部によって使用者が実行可能な状態になった処理とを関連付けて記憶することが好ましい。
【００２１】
この食品処理装置管理システムは、認証された使用者と、認証後の使用者の作業内容とを関連付けて、複数の食品処理装置に亘って一括して管理することができる。
【００２２】
また、本発明に係る食品処理装置管理システムでは、第２記憶部は、使用者識別情報と実行可否情報とを関連付けて記憶することが好ましい。
【００２３】
この食品処理装置管理システムは、食品処理装置の使用者と、その使用者が実行可能な処理とを関連付けて記憶しておくことができるので、使用者ごとに実行可能な処理を登録および参照する処理を容易に行うことができる。
【００２４】
本発明に係る食品処理装置管理方法は、食品を処理する複数の食品処理装置を管理する方法であって、最初に、食品処理装置の使用者の生体情報を取得する。次に、この方法は、使用者ごとに、使用者を一意に識別するための使用者識別情報と生体情報とを関連付けて記憶する。次に、この方法は、食品処理装置を用いて使用者が実行可能な処理に関する実行可否情報を記憶する。次に、この方法は、取得された生体情報と、使用者識別情報と関連付けて記憶されている生体情報とに基づいて、使用者の認証を行う。次に、この方法は、記憶されている実行可否情報に基づいて、認証された使用者が、食品処理装置による処理を実行可能な状態にする。
【発明の効果】
【００２５】
本発明に係る食品処理装置管理システムおよび食品処理装置管理方法は、使用者を認証する機能を有する複数の食品処理装置を管理する際に、認証処理に用いられる情報の管理を容易にすることができる。
【図面の簡単な説明】
【００２６】
【図１】食品処理装置管理システム２００の全体構成を示す図である。
【図２】本発明の一実施形態であるＸ線検査装置１０の外観を示す斜視図である。
【図３】Ｘ線検査装置１０が組み込まれる検査ライン１００の概略図である。
【図４】Ｘ線検査装置１０のシールドボックス１１の内部の概略図である。
【図５】ラインセンサ３０によって検出される透過Ｘ線の強度の例を示すグラフである。
【図６】虹彩撮像装置６０の概略的な外観図である。
【図７】制御装置５０のブロック図である。
【図８】処理情報データベース７１の一例である。
【図９】管理サーバ２１０のブロック図である。
【図１０】虹彩情報データベース７２の一例である。
【図１１】Ｘ線検査装置１０の認証処理の手順を表すフローチャートである。
【図１２】変形例Ｂにおける、認証レベルデータベース１７１の一例である。
【図１３】変形例Ｂにおける、レベル別処理情報データベース１７２の一例である。
【図１４】変形例Ｂにおける、制御装置５０のブロック図である。
【図１５】変形例Ｄにおける、認証後処理情報データベース１７３の一例である。
【図１６】変形例Ｄにおける、制御装置５０のブロック図である。
【発明を実施するための形態】
【００２７】
本発明の実施形態について、図面を参照しながら説明する。以下に説明される実施形態は、本発明の具体例の一つであって、本発明の技術的範囲を限定するものではない。
【００２８】
（１）食品処理装置管理システムの全体構成
本発明に係る食品処理装置管理システムは、複数の食品処理装置を管理するためのシステムである。食品処理装置は、食品を製造するラインにおいて、食品に対して少なくとも１以上の処理を行う装置である。食品処理装置は、例えば、食品に含まれる異物を検出するＸ線検査装置、食品にラベルを貼り付けるラベル貼付装置、食品に貼り付けられたラベルを検査するラベル検査装置、および、食品を検査して検査結果に応じて複数の方向に振り分ける振分装置である。また、食品処理装置は、これらの装置を２つ以上連携させて組み合わせたものでもよい。このような食品処理装置は、例えば、食品の製造工場において生産ラインおよび検査ライン等に組み込まれて使用される。
【００２９】
図１は、本実施形態の食品処理装置管理システム２００の全体構成を示す図である。食品処理装置管理システム２００は、主として、複数のＸ線検査装置１０と、一の管理サーバ２１０とから構成されている。Ｘ線検査装置１０は、食品処理装置管理システム２００によって管理される食品処理装置である。管理サーバ２１０は、ネットワーク２２０を介して各Ｘ線検査装置１０と接続されている。
【００３０】
（２）Ｘ線検査装置の構成
図２は、Ｘ線検査装置１０の外観を示す斜視図である。図３は、Ｘ線検査装置１０が組み込まれる検査ライン１００の概略図である。検査ライン１００は、被検査物である食品Ａの検査を行う。食品Ａは、例えば、フィルム包装された調理済み冷凍食品である。検査ライン１００において、食品Ａは、前段コンベア１０１によってＸ線検査装置１０まで搬送される。図３において、食品Ａの搬送方向は、矢印で示されている。
【００３１】
Ｘ線検査装置１０は、前段コンベア１０１によって連続的に搬送されてくる食品ＡにＸ線を照射することにより、食品Ａの良否判断を行う。具体的には、Ｘ線検査装置１０は、食品Ａの異物混入検査を行い、検査結果に基づいて食品Ａを良品または不良品に分類する。Ｘ線検査装置１０による検査結果は、Ｘ線検査装置１０の下流側に配置されている振り分け機構１０２に送られる。振り分け機構１０２は、Ｘ線検査装置１０において良品と判断された食品Ａを、良品を排出する後段コンベア１０３へ送る。振り分け機構１０２は、Ｘ線検査装置１０において不良品と判断された食品Ａを、不良品排出方向１０２ａ，１０２ｂに振分けて検査ライン１００から排出する。
【００３２】
Ｘ線検査装置１０は、主として、シールドボックス１１と、搬送ユニット１２と、Ｘ線照射器２０と、ラインセンサ３０と、モニタ４０と、虹彩撮像装置６０と、制御装置５０とから構成される。
【００３３】
（２−１）シールドボックス
図４は、Ｘ線検査装置１０のシールドボックス１１の内部の概略図である。シールドボックス１１は、Ｘ線検査装置１０のケーシングである。図２に示されるように、シールドボックス１１の両側面には、食品Ａを搬出入するための開口１１ａが形成されている。開口１１ａは、シールドボックス１１の外部から内部に食品Ａを搬入するため、または、シールドボックス１１の内部から外部に食品Ａを搬出するために用いられる。開口１１ａは、遮蔽のれん１９により塞がれている。遮蔽のれん１９は、シールドボックス１１の内部から外部へのＸ線の漏洩を抑える。遮蔽のれん１９は、タングステンシートから成形される。遮蔽のれん１９は、食品Ａが搬出入される時に食品Ａによって押しのけられる。
【００３４】
シールドボックス１１の内部には、搬送ユニット１２、Ｘ線照射器２０、ラインセンサ３０および制御装置５０等が収容されている。シールドボックス１１の正面上部には、モニタ４０、入力用のキー、および、電源スイッチ等が配置されている。
【００３５】
（２−２）搬送ユニット
搬送ユニット１２は、シールドボックス１１の内部を通過するように食品Ａを搬送するためのベルトコンベアである。図２に示されるように、搬送ユニット１２は、シールドボックス１１の両側面に形成された開口１１ａを貫通するように配置されている。
【００３６】
搬送ユニット１２は、主として、コンベアモータ１２ａと、エンコーダ１２ｂと、コンベアローラ１２ｃと、無端状のベルト１２ｄとから構成されている。コンベアローラ１２ｃは、コンベアモータ１２ａによって駆動される。コンベアローラ１２ｃの駆動により、ベルト１２ｄが回転し、ベルト１２ｄ上の食品Ａが搬送される。図４において、食品Ａの搬送方向は、矢印で示されている。
【００３７】
搬送ユニット１２による食品Ａの搬送速度は、Ｘ線検査装置１０の操作者によって入力された設定速度に応じて変動する。制御装置５０は、設定速度に基づいてコンベアモータ１２ａをインバータ制御し、食品Ａの搬送速度を細かく制御する。搬送ユニット１２のエンコーダ１２ｂは、コンベアモータ１２ａの回転速度を検出することで食品Ａの搬送速度を算出し、制御装置５０に送信する。
【００３８】
なお、搬送ユニット１２は、搬送機構としてベルトコンベアを用いているが、ベルトコンベアの代わりにトップチェーンコンベアおよび回転テーブル等を搬送機構として用いてもよい。
【００３９】
（２−３）Ｘ線照射器
Ｘ線照射器２０は、シールドボックス１１内部の所定の位置まで搬送ユニット１２によって搬送された食品ＡにＸ線を照射するＸ線源である。Ｘ線照射器２０から照射されるＸ線には、様々なエネルギーのＸ線が含まれている。
【００４０】
図４に示されるように、Ｘ線照射器２０は、搬送ユニット１２の上方に配置されている。Ｘ線照射器２０は、搬送ユニット１２の下方に配置されるラインセンサ３０に向けて扇状のＸ線（放射光）を照射する。Ｘ線の照射範囲Ｘは、図４に示されるように、搬送ユニット１２の搬送面に対して垂直であり、かつ、搬送ユニット１２による食品Ａの搬送方向に対して直交する方向に広がる。すなわち、Ｘ線照射器２０から照射されるＸ線は、ベルト１２ｄの幅方向に広がる。
【００４１】
（２−４）ラインセンサ
ラインセンサ３０は、Ｘ線照射器２０から照射されたＸ線を検出するセンサである。具体的には、ラインセンサ３０は、搬送ユニット１２によって搬送された食品Ａを透過したＸ線である透過Ｘ線を検出する。
【００４２】
図４に示されるように、ラインセンサ３０は、搬送ユニット１２の下方に配置されている。ラインセンサ３０は、複数のＸ線検出素子から構成されている。複数のＸ線検出素子は、搬送ユニット１２による食品Ａの搬送方向に直交する方向（ベルト１２ｄの幅方向）に沿って一直線に水平に配置されている。
【００４３】
ラインセンサ３０は、透過Ｘ線を検出し、検出された透過Ｘ線の強度に応じた電圧を示すＸ線透過信号を出力する。Ｘ線透過信号は、後述するように、食品Ａの透過画像の生成に用いられる。図５は、ラインセンサ３０によって検出される透過Ｘ線の強度の例を示すグラフである。グラフの横軸は、ラインセンサ３０上の位置を表す。グラフの縦軸は、ラインセンサ３０が検出した透過Ｘ線の強度を表す。食品Ａの透過画像では、透過Ｘ線の検出量の多いところが明るく（輝度が高く）表示され、透過Ｘ線の検出量が少ないところが暗く（輝度が低く）表示される。すなわち、食品Ａの透過画像の明暗（輝度値）は、透過Ｘ線の検出量に依存する。図５に示されるように、食品Ａを透過したＸ線の検出量は、食品Ａを透過しなかったＸ線の検出量より低い。
【００４４】
また、ラインセンサ３０は、食品ＡがＸ線の扇状の照射範囲Ｘ（図５参照）を通過するタイミングを検知するためのセンサとしても機能する。すなわち、ラインセンサ３０は、搬送ユニット１２によって搬送される食品Ａがラインセンサ３０の上方の位置（照射範囲Ｘと重なる位置）に来たとき、所定の閾値以下の電圧を示すＸ線透過信号（第１信号）を出力する。一方、ラインセンサ３０は、食品Ａが照射範囲Ｘを通過すると、所定の閾値を上回る電圧を示すＸ線透過信号（第２信号）を出力する。第１信号および第２信号が制御装置５０に送られることにより、照射範囲Ｘにおける食品Ａの有無が検出される。
【００４５】
（２−５）モニタ
モニタ４０は、タッチパネル機能付きの液晶ディスプレイである。モニタ４０は、Ｘ線検査装置１０の表示部および入力部として機能する。モニタ４０には、食品Ａの検査結果等が表示される。また、モニタ４０には、初期設定、および、食品Ａの良否判断に関するパラメータを入力するための画面等が表示される。
【００４６】
Ｘ線検査装置１０の操作者は、モニタ４０を操作して、検査パラメータおよび動作設定情報等を入力することができる。検査パラメータとは、食品Ａの良否を判定するために必要なパラメータである。具体的には、検査パラメータは、食品Ａに含まれる異物の検出精度に影響を与えるパラメータであり、例えば、食品Ａに含まれる異物の有無を判定するために用いられる透過Ｘ線の強度の閾値等である。動作設定情報とは、食品Ａの検査速度、および、搬送ユニット１２の搬送方向等の情報である。
【００４７】
モニタ４０は、制御装置５０に接続されており、制御装置５０と信号の送受信を行う。モニタ４０によって入力された検査パラメータおよび動作設定情報は、制御装置５０の記憶部５２に記憶される。
【００４８】
（２−６）虹彩撮像装置
虹彩撮像装置６０は、Ｘ線検査装置１０の使用者（以下、単に「使用者」と記載する。）の認証のために使用される。使用者の認証とは、Ｘ線検査装置１０を用いて食品Ａの製造に関係する処理を実行する権限を使用者が有することを電子的に確認する処理である。食品Ａの製造に関係する処理とは、例えば、Ｘ線検査装置１０を用いて食品Ａの良否を判定するための感度を調整するための処理（以下、「感度調整処理」と呼ぶ。）である。この場合、使用者は、Ｘ線検査装置１０の感度調整処理を実行するためには、虹彩撮像装置６０を用いて自身が認証される必要がある。
【００４９】
虹彩撮像装置６０は、使用者の目の虹彩の画像を利用する、非接触タイプの生体認証装置である。図６は、虹彩撮像装置６０の概略的な外観図である。虹彩撮像装置６０は、主として、ポータブルケーシング６０ａと、赤外線カメラ６０ｂと、赤外線照明６０ｃと、接続ケーブル６０ｄを有する。図２に示されるように、虹彩撮像装置６０は、モニタ４０の近傍等、使用者がＸ線検査装置１０を操作するときにアクセスしやすい位置に設置されている。
【００５０】
ポータブルケーシング６０ａは、赤外線カメラ６０ｂおよび赤外線照明６０ｃが内蔵され、接続ケーブル６０ｄを介してＸ線検査装置１０の本体に接続されている。ポータブルケーシング６０ａは、シールドボックス１１に取り付けられているブラケット（図示せず）に対して着脱可能である。使用者は、虹彩撮像装置６０を使用するとき、必要に応じて、ポータブルケーシング６０ａをシールドボックス１１から取り外し、ポータブルケーシング６０ａを保持することができる。
【００５１】
赤外線カメラ６０ｂは、赤外線を検知することができるカメラである。赤外線照明６０ｃは、低強度の赤外線を照射するＬＥＤである。赤外線カメラ６０ｂおよび赤外線照明６０ｃは、保護カバー６０ｅによって保護されている。保護カバー６０ｅは、透明のプラスチック板およびガラス板等である。
【００５２】
接続ケーブル６０ｄは、ＵＳＢケーブル等である。接続ケーブル６０ｄは、赤外線カメラ６０ｂおよび赤外線照明６０ｃと、制御装置５０とを互いに通信可能にするための接続ケーブルである。なお、赤外線カメラ６０ｂおよび赤外線照明６０ｃと、制御装置５０とは無線で接続されてもよい。その場合、虹彩撮像装置６０は、接続ケーブル６０ｄを有していなくてもよい。
【００５３】
使用者は、虹彩撮像装置６０を用いて自身の認証を行う前に、自身の虹彩に関する生体情報を予め登録しておく必要がある。この登録処理については後述する。使用者は、虹彩撮像装置６０を用いて自身の認証を行うとき、ポータブルケーシング６０ａをシールドボックス１１のブラケットから取り外してポータブルケーシング６０ａを保持し、自身の目と保護カバー６０ｅとを互いに近付ける。このとき、赤外線照明６０ｃは、赤外線を照射している。赤外線照明６０ｃから照射された赤外線は、保護カバー６０ｅを通過して、使用者の目で反射する。赤外線カメラ６０ｂは、使用者の目で反射して保護カバー６０ｅを再度通過した赤外線を検知することで、使用者の目を撮像する。赤外線カメラ６０ｂが取得した使用者の目の画像は、接続ケーブル６０ｄを介して制御装置５０に送られ、使用者の認証処理に使用される。
【００５４】
（２−７）制御装置
制御装置５０は、主として、ＣＰＵ、ＲＯＭ、ＲＡＭおよびＨＤＤ（ハードディスクドライブ）等によって構成されている。なお、ＨＤＤの代わりにＳＳＤ（ソリッドステートドライブ）が用いられてもよい。制御装置５０は、図示されない表示制御回路、入力回路および通信ポート等も備えている。表示制御回路は、モニタ４０の表示を制御する回路である。入力回路は、モニタ４０のタッチパネルおよび入力キーを介して操作者によって入力された入力データを取り込む回路である。通信ポートは、プリンタ等の外部機器、および、ＬＡＮ等のネットワークとの接続を可能にするポートである。
【００５５】
図７は、制御装置５０のブロック図である。制御装置５０は、主として、制御部５１と、記憶部５２とを有する。制御装置５０は、コンベアモータ１２ａ、エンコーダ１２ｂ、Ｘ線照射器２０、ラインセンサ３０、モニタ４０および虹彩撮像装置６０等に電気的に接続されている。
【００５６】
（２−７−１）制御部
制御部５１は、主として、処理部６１と、撮像部６２と、管理部６４とを有する。これらは、それぞれ、記憶部５２に記憶されているプログラムを実行することによって実現される機能である。制御部５１は、主として、ＣＰＵ、ＲＯＭおよびＲＡＭから構成される。
【００５７】
（２−７−１−１）処理部
処理部６１は、搬送ユニット１２、Ｘ線照射器２０およびラインセンサ３０を制御して、食品Ａに含まれる異物の有無を判定して、食品Ａの良否を判定する。具体的には、最初に、処理部６１は、エンコーダ１２ｂからコンベアモータ１２ａの回転数に関するデータを取得し、そのデータに基づいて食品Ａの移動距離を算出する。次に、処理部６１は、ラインセンサ３０から出力されたＸ線透過信号を受信し、搬送ユニット１２のベルト１２ｄ上の食品ＡがＸ線の照射範囲Ｘに到達したタイミングを検出する。次に、処理部６１は、透過Ｘ線の強度に基づいて、食品Ａに含まれる異物の有無を判定して、食品Ａの良否を判定する。また、処理部６１は、食品Ａの良否の判定結果をモニタ４０に表示する。
【００５８】
また、処理部６１は、認証された使用者によるＸ線検査装置１０の感度調整処理を実行する。ここで、感度調整処理について説明する。Ｘ線検査装置１０を用いて食品Ａに含まれる異物の検出を高い精度で行うためには、事前調整または定期点検によって、異物の検出精度を適切にするための感度調整処理が行われる必要がある。そのため、Ｘ線検査装置１０は、食品Ａの安全性および質を担保するため、特別な権限を有する使用者による感度調整処理が事前に行われない場合には、特別な権限を有さない使用者による食品Ａの異物混入検査が開始できない構成を有することが望ましい。しかし、このような構成の場合、感度調整処理の実行を許可するための認証をパスワードおよびＩＣカード等に基づいて行うと、特別な権限を有さない使用者が認証される状況が生じ得る。この場合、異物混入検査を開始可能にするために、特別な権限を有さない使用者が感度調整処理を行ってしまう問題が生じる可能性がある。そこで、Ｘ線検査装置１０では、後述するように、虹彩撮像装置６０を用いて撮像された目の画像という、各使用者に固有の生体情報に基づいて、使用者を認証する。これにより、Ｘ線検査装置１０は、使用者本人を確実に認証できるので、感度調整作業等の重要な作業を、使用者が認証された場合のみ実行することができる。その結果、特別な権限を有さない使用者が認証される状況が生じ得ないため、感度調整処理が適切に行われていない場合の異物の検出エラー（誤検出および検出漏れ等）の不具合による、検査が適切に行われたか疑いのある食品の再検査または回収等の問題の発生が抑制される。
【００５９】
（２−７−１−２）撮像部
撮像部６２は、虹彩撮像装置６０を制御して、使用者の目を撮像する。具体的には、最初に、撮像部６２は、虹彩撮像装置６０による使用者の認証処理が開始されることを検知する。認証処理の開始は、例えば、シールドボックス１１のブラケットから虹彩撮像装置６０が取り外されたことを撮像部６２が検出したり、使用者がモニタ４０等を介して認証処理を開始することを入力したりすることによって検知される。次に、撮像部６２は、認証処理の開始を検知すると、赤外線照明６０ｃから赤外線を照射する。次に、使用者が、自身の目と虹彩撮像装置６０の保護カバー６０ｅとを互いに近付けると、撮像部６２は、使用者の目で反射した赤外線を赤外線カメラ６０ｂで検知して、使用者の目の画像を取得する。次に、撮像部６２は、取得した使用者の目の画像のデジタルデータを、赤外線カメラ６０ｂから制御装置５０に送信する。制御装置５０は、受信した使用者の目の画像を管理サーバ２１０に送信する。管理サーバ２１０は、制御装置５０から受信した使用者の目の画像を用いて当該使用者の認証処理を行い、制御装置５０に認証結果を送信する。このようにして、管理サーバ２１０は、各Ｘ線検査装置１０の使用者を認証する。
【００６０】
（２−７−１−３）管理部
管理部６４は、管理サーバ２１０によって認証された使用者が、処理部６１による処理を実行可能な状態にする。具体的には、管理部６４は、管理サーバ２１０が使用者を認証すると、認証された使用者が、処理部６１による感度調整処理を開始できるように、Ｘ線検査装置１０を制御する。例えば、管理部６４は、管理サーバ２１０が使用者を認証した場合に、感度調整処理を実行するための画面をモニタ４０に表示する。
【００６１】
（２−７−２）記憶部
記憶部５２は、主として、ＨＤＤから構成される。記憶部５２は、処理情報データベース７１を有する。図８は、処理情報データベース７１の一例である。処理情報データベース７１は、使用者と、管理部６４によって使用者が実行可能な状態になる処理とを関連付けて記憶する。具体的には、処理情報データベース７１は、使用者識別情報と処理識別情報とが関連付けられ、かつ、使用者識別情報を主キーとするデータベースである。使用者識別情報は、使用者を一意に識別するためのＩＤ番号である。処理識別情報は、管理サーバ２１０によって認証された場合に、使用者がＸ線検査装置１０を用いて実行可能な処理を表すビット列である。処理識別情報の各ビットは、対応する「実行可能な処理」を表す。
【００６２】
処理情報データベース７１は、例えば、食品処理装置管理システム２００の管理者等によって、食品処理装置管理システム２００の運用開始前に事前に作成され、運用開始後に修正される。
【００６３】
（３）管理装置
管理サーバ２１０は、ＬＡＮケーブル等を介して各Ｘ線検査装置１０と接続されているパソコンである。食品処理装置管理システム２００の管理者は、管理サーバ２１０を操作して、複数のＸ線検査装置１０を一括して管理することができる。
【００６４】
管理サーバ２１０は、主として、ＣＰＵ、ＲＯＭ、ＲＡＭおよびＨＤＤ（ハードディスクドライブ）等によって構成されている。なお、ＨＤＤの代わりにＳＳＤ（ソリッドステートドライブ）が用いられてもよい。
【００６５】
図９は、管理サーバ２１０のブロック図である。管理サーバ２１０は、主として、制御部２１１と、記憶部２１２とを有する。
【００６６】
制御部２１１は、主として、ＣＰＵ、ＲＯＭおよびＲＡＭから構成される。制御部２１１は、認証部６３および登録部６５を有する。これらは、それぞれ、記憶部２１２に記憶されているプログラムを実行することによって実現される機能である。記憶部２１２は、主として、ＨＤＤから構成される。記憶部２１２は、虹彩情報データベース７２を有する。
【００６７】
（３−１）認証部
認証部６３は、Ｘ線検査装置１０の制御装置５０から送信された、使用者の目の画像のデータに基づいて、使用者の認証処理を行う。認証部６３は、認証処理に用いた目の画像を送信した制御装置５０に認証結果を送り返す。使用者の認証処理は、Ｘ線検査装置１０の使用開始前に行われる。使用者は、認証部６３によって認証された場合のみ、Ｘ線検査装置１０の感度調整処理を実行することができる。
【００６８】
具体的には、最初に、認証部６３は、使用者の目の画像から、使用者の虹彩に相当する部分を抜き出す。次に、認証部６３は、使用者の虹彩部分のみの画像を、専用のアルゴリズムを用いて、使用者の虹彩情報に変換する。虹彩情報は、生体認証情報として利用できる所定長のビット列である。
【００６９】
次に、認証部６３は、Ｘ線検査装置１０の使用開始前に使用者の目の画像から変換された虹彩情報（認証時虹彩情報）が、登録部６５に予め登録されている虹彩情報（後述の登録済み虹彩情報）に含まれているか否かを判定する。認証部６３は、認証時虹彩情報が登録済み虹彩情報に含まれている場合、Ｘ線検査装置１０の感度調整処理を実行できる権限を使用者が有すると判定する。一方、認証部６３は、認証時虹彩情報が登録済み虹彩情報に含まれていない場合、Ｘ線検査装置１０の感度調整処理を実行できる権限を使用者が有さないと判定する。認証された使用者とは、Ｘ線検査装置１０の感度調整処理を実行できる権限を有すると認証部６３によって判定された使用者である。
【００７０】
（３−２）登録部
登録部６５は、使用者の目の画像に関するデータを登録する。具体的には、登録部６５は、食品処理装置管理システム２００の運用を開始する前に、Ｘ線検査装置１０を使用する可能性がある全ての使用者について、各使用者の目の画像から変換された虹彩情報を登録する。登録部６５は、使用者識別情報と登録済み虹彩情報とを関連付けて、虹彩情報データベース７２に登録する。使用者識別情報とは、使用者を一意に識別するためのＩＤ番号である。このＩＤ番号は、例えば、複数の英数字から構成される文字列である。登録済み虹彩情報とは、Ｘ線検査装置１０の撮像部６２によって予め撮像された使用者の目の画像から変換された、生体認証情報として利用できるビット列である。
【００７１】
（３−３）虹彩情報データベース
図１０は、虹彩情報データベース７２の一例である。虹彩情報データベース７２は、使用者と、登録部６５によって予め登録された使用者の虹彩情報（登録済み虹彩情報）とを関連付けて記憶する。具体的には、虹彩情報データベース７２は、使用者識別情報と登録済み虹彩情報とが関連付けられ、かつ、使用者識別情報を主キーとするデータベースである。使用者識別情報は、Ｘ線検査装置１０の処理情報データベース７１が使用している使用者識別情報と共通のＩＤ番号である。登録済み虹彩情報は、使用者の目の画像から変換された、生体認証情報として利用できるビット列である。
【００７２】
虹彩情報データベース７２は、例えば、食品処理装置管理システム２００の管理者等によって、食品処理装置管理システム２００の運用開始前に事前に作成され、運用開始後に修正される。
【００７３】
使用者は、任意のＸ線検査装置１０の虹彩撮像装置６０を用いて自身の目の画像を撮像することで、自身の虹彩情報を管理サーバ２１０の虹彩情報データベース７２に予め登録することができる。虹彩情報データベース７２は、全てのＸ線検査装置１０の認証処理で使用することができる、各使用者の虹彩情報を記憶している。そのため、管理サーバ２１０は、全てのＸ線検査装置１０の各使用者の虹彩情報を一括して管理することができる。
【００７４】
（４）Ｘ線検査装置の認証処理
図１１は、Ｘ線検査装置１０の認証処理の手順を表すフローチャートである。ステップＳ１〜Ｓ２は、Ｘ線検査装置１０の認証処理の開始前に予め行われる、虹彩情報の登録処理に関する。ステップＳ１〜Ｓ２は、事前準備に関し、任意の順番で実行可能である。ステップＳ３〜Ｓ９は、Ｘ線検査装置１０の使用開始前に行われる、使用者の認証処理に関する。
【００７５】
ステップＳ１では、使用者の虹彩情報が登録される。ステップＳ１では、Ｘ線検査装置１０の各使用者は、任意のＸ線検査装置１０の虹彩撮像装置６０を用いて自身の目の画像を撮像し、自身の虹彩情報を管理サーバ２１０の虹彩情報データベース７２に予め登録しておく。この作業は、Ｘ線検査装置１０の感度調整処理を開始する前に、Ｘ線検査装置１０を使用し得る全ての使用者によって行われる。
【００７６】
ステップＳ２では、ステップＳ１で虹彩情報データベース７２に登録された各使用者について、Ｘ線検査装置１０を用いて使用者が実行することができる処理に関する情報が各Ｘ線検査装置１０の処理情報データベース７１に登録される。この作業は、通常、食品処理装置管理システム２００の管理者によって行われる。管理者は、各Ｘ線検査装置１０のモニタ４０、または、管理サーバ２１０等を操作して、各使用者が実行可能な処理に関する情報を入力して、各Ｘ線検査装置１０の処理情報データベース７１に登録することができる。
【００７７】
ステップＳ３では、Ｘ線検査装置１０による使用者の認証処理の準備が行われる。これは、通常、使用者がＸ線検査装置１０の使用を開始する直前に行われる。これにより、使用者は、Ｘ線検査装置１０の認証処理を実行できるようになる。
【００７８】
ステップＳ４では、使用者は、Ｘ線検査装置１０の虹彩撮像装置６０を用いて自身の目の画像を撮像する。具体的には、使用者は、Ｘ線検査装置１０のシールドボックス１１から虹彩撮像装置６０を取り外して、虹彩撮像装置６０の保護カバー６０ｅを自身の目に近付ける。これにより、Ｘ線検査装置１０の撮像部６２は、虹彩撮像装置６０で使用者の目の画像を自動で撮像する。
【００７９】
ステップＳ５では、ステップＳ４で撮像された使用者の目の画像が管理サーバ２１０に送信され、管理サーバ２１０の認証部６３によって、送信された目の画像に基づいて使用者の虹彩情報が取得される。ステップＳ５以降の処理は、自動で行われる。
【００８０】
ステップＳ６では、管理サーバ２１０の認証部６３によって、ステップＳ５で取得された使用者の虹彩情報が、ステップＳ１で登録された虹彩情報データベース７２に含まれているか否かが判定される。判定結果がＹＥＳの場合、使用者は認証され、ステップＳ７に移行する。判定結果がＮＯの場合、使用者は認証されず、ステップＳ９に移行する。ステップＳ６では、管理サーバ２１０は、判定結果（認証結果）を、ステップＳ５で目の画像を送信したＸ線検査装置１０に送信する。以降のステップＳ７〜Ｓ９の処理は、管理サーバ２１０から判定結果を受信したＸ線検査装置１０の管理部６４によって行われる。
【００８１】
ステップＳ７では、ステップＳ６で認証された使用者が実行可能な処理に関する情報が、ステップＳ２で登録された処理情報データベース７１から取得される。
【００８２】
ステップＳ８では、ステップＳ７で取得された、使用者が実行可能な処理を、使用者が実際にＸ線検査装置１０で実行できる状態にされる。この時、ステップＳ６で認証された使用者、および、ステップＳ７で取得された、使用者が実行可能な処理が、モニタ４０に表示されてもよい。これにより、使用者は、モニタ４０を参照して、認証された自身に関する情報（名前および所属部署等）、および、自身が実行可能な処理を確認することができる。以降、認証された使用者は、Ｘ線検査装置１０の感度調整処理を実行することができる。
【００８３】
ステップＳ９では、ステップＳ６で認証されなかった使用者の虹彩情報が、虹彩情報データベース７２に登録されていないこと等が使用者に報知される。例えば、「虹彩情報が未登録ですので、装置を操作することができません。」等の警告メッセージがモニタ４０に表示される。
【００８４】
（５）特徴
（５−１）
本実施形態に係る食品処理装置管理システム２００は、Ｘ線検査装置１０の使用者の認証処理に必要な使用者の虹彩情報を、管理サーバ２１０で一元管理することができる。従って、食品処理装置管理システム２００は、使用者を認証する機能を有する複数のＸ線検査装置１０を管理する際に、使用者の認証処理に用いられる生体情報の管理を容易にすることができる。
【００８５】
また、食品処理装置管理システム２００は、使用者の認証処理に必要な情報を一元管理することにより、例えば、行った作業の順番および各作業にかかった時間を使用者ごとに管理することが容易になり、作業内容の事後検討および作業手順の改善に関するデータを容易に取得することができる。また、食品処理装置管理システム２００は、不正な認証処理が行われたか否かのチェックを容易に行うことができる。不正な認証処理とは、例えば、同一の使用者が、互いに離れた位置にある複数のＸ線検査装置１０で同時に行った認証処理等、認証された使用者と、認証後に実際の処理を行った使用者との不一致が疑われる認証処理である。
【００８６】
（５−２）
食品処理装置管理システム２００では、いずれか１つのＸ線検査装置１０の虹彩撮像装置６０を用いて使用者が目の画像を撮像すると、目の画像から取得された使用者の虹彩情報が、管理サーバ２１０の虹彩情報データベース７２に登録される。管理サーバ２１０は、虹彩情報データベース７２に登録された虹彩情報を用いて、Ｘ線検査装置１０の使用者の認証を行う。すなわち、使用者は、任意のＸ線検査装置１０で虹彩情報を一度登録すれば、その後は全てのＸ線検査装置１０で認証処理を行うことができる。従って、使用者は、全てのＸ線検査装置１０に虹彩情報を登録する必要がないので、食品処理装置管理システム２００は、使用者の認証処理に用いられる生体情報の登録を容易にすることができる。
【００８７】
（５−３）
食品処理装置管理システム２００では、各Ｘ線検査装置１０は、処理情報データベース７１を有する。処理情報データベース７１は、使用者と、認証された使用者が実行可能な状態になる処理とを関連付けて記憶する。従って、食品処理装置管理システム２００は、Ｘ線検査装置１０ごとに、使用者が実行可能な処理を管理することができる。
【００８８】
（５−４）
Ｘ線検査装置１０は、使用者の目の画像を、使用者の認証処理のための生体情報として利用する。これにより、認証されるべきでない使用者が認証される状況、および、認証された使用者と実際の使用者とが一致しない状況の発生が回避される。従って、Ｘ線検査装置１０は、認証された使用者のみが処理を実行することができる。
【００８９】
（５−５）
Ｘ線検査装置１０は、使用者の目の画像に含まれる虹彩の画像データから得られる虹彩情報を、使用者の認証処理のための生体情報として利用する。使用者の虹彩を用いる生体認証は、使用者の指紋を用いる生体認証と同程度の高い識別能力を有するが、次に述べるような利点があるので、認証処理に特に適している。第一に、人間の虹彩の模様は複雑であるので、使用者を特定するための情報として適している。第二に、人間の虹彩の模様は、長い時間が経過してもほとんど変化せず、また、改竄も実質的に不可能であるので、虹彩情報は、一度登録すれば、信頼性が高い生体情報として半永久的に利用可能である。第三に、虹彩撮像装置６０のような比較的小型の装置を用いて使用者の目の画像を撮影するだけで非接触の認証処理を行うことができるので、認証処理のための特別な機器を設置するスペースを大きく確保する必要がない。従って、Ｘ線検査装置１０は、高精度かつ高信頼性の認証処理を実行することができる。
【００９０】
（５−６）
Ｘ線検査装置１０が設置される食品製造工場等では、使用者は、髪の毛の食品Ａへの混入、および、皮膚の細菌の食品Ａへの付着を防止するため、目以外の部分を被覆する作業衣を着用することがある。この場合、使用者の体の内、外部に露出している部分は、使用者の目のみである。そのため、使用者の目の画像から得られる情報を、使用者を特定することができる生体情報として用いることで、使用者は、作業衣を着用したまま認証処理を行ってＸ線検査装置１０の使用を開始することができる。すなわち、使用者は、認証処理を行うために作業衣を取り外して体の一部を露出させる必要がないので、認証処理を行う際に、使用者の髪の毛が食品Ａに混入したり、使用者の皮膚の細菌が食品Ａに付着したりする問題の発生が抑制される。従って、Ｘ線検査装置１０は、製品の安全性および質を担保するために異物の混入および付着をできるだけ防止する必要がある食品製造工場等において特に有用である。
【００９１】
（５−７）
Ｘ線検査装置１０の記憶部５２は、使用者と、認証後に使用者が実行可能な状態になる処理とを関連付けて記憶する処理情報データベース７１を有している。そのため、食品処理装置管理システム２００の管理者（特別な権限を有する使用者）は、処理情報データベース７１を操作して、使用者ごとに実行可能な処理を予め一括して設定および管理することができる。これにより、例えば、管理者のみが実行するべき重要な作業を使用者が実行してしまう状況の発生が回避される。このような重要な作業は、例えば、食品Ａに含まれる異物の検出精度の調整作業であり、食品Ａの安全性および質を担保するためには、必要な技能および資格を有する管理者によって行われる必要がある。
【００９２】
ここで、管理者のみが実行するべき重要な作業とは、例えば、食品Ａに含まれる異物の検出精度の調整作業等、食品製造工程の重要管理点（ＣＣＰ）における処理である。このような処理には、他に、食品Ａの温度の測定精度の調整作業、および、食品Ａに付着している有害な化学物質の濃度の測定精度の調整作業等が含まれる。Ｘ線検査装置１０では、例えば、食品Ａに含まれる異物の検出を高い精度で行うためには、管理者による事前調整または定期点検によって、異物の検出精度が適切に調整される必要がある。そのため、Ｘ線検査装置１０は、食品Ａの安全性および質を担保するため、特別な権限を有する管理者による異物の検出精度の調整が事前に行われない場合には、特別な権限を有さない使用者による食品Ａの異物混入検査が開始できない構成になっている。これにより、Ｘ線検査装置１０の異物の検出精度の低下に起因する、食品Ａの異物混入検査における異物の検出エラー等の不具合の発生が抑制される。
【００９３】
（５−８）
Ｘ線検査装置１０の記憶部５２は、使用者と、使用者の目の画像から得られる虹彩情報とを関連付けて記憶する虹彩情報データベース７２を有している。これにより、食品処理装置管理システム２００の管理者は、虹彩情報データベース７２を操作して、使用者ごとに虹彩情報を登録および参照する処理を容易に行うことができる。
【００９４】
（６）変形例
以上、本発明の一実施形態について説明したが、本発明は上記実施形態に限定されるものではなく、発明の要旨を逸脱しない範囲で種々の変更が可能である。
【００９５】
（６−１）変形例Ａ
実施形態では、Ｘ線検査装置１０の記憶部５２は、使用者と、使用者の目の画像から取得される虹彩情報とを関連付けて記憶する虹彩情報データベース７２を有している。しかし、Ｘ線検査装置１０の記憶部５２は、虹彩情報データベース７２の代わりに、使用者と、使用者の目の画像データとを関連付けて記憶するデータベースを有してもよい。このデータベースでは、例えば、使用者ごとに、主キーである使用者識別情報と、目の画像データまたは当該画像データのアドレス（保存場所）とが関連付けられている。
【００９６】
また、実施形態では、虹彩撮像装置６０は、使用者の目の画像を撮像する機能を有するが、撮像時に使用者の目の動画を撮像する機能を有してもよい。この場合、Ｘ線検査装置１０は、虹彩情報データベース７２の代わりに、使用者と、使用者の目の動画データとを関連付けて記憶するデータベースを有してもよい。このデータベースでは、例えば、使用者ごとに、主キーである使用者識別情報と、目の動画データまたは当該動画データのアドレスとが関連付けられている。
【００９７】
本変形例では、実施形態の図１１のステップＳ１において、使用者の虹彩情報が登録される代わりに、使用者の目の画像データまたは動画データ（またはそのアドレス）が登録される。そして、図１１のステップＳ６において、ステップＳ５で取得された使用者の虹彩情報が、ステップＳ１で登録された目の画像データまたは動画データから取得された虹彩情報に含まれているか否かが判定される。
【００９８】
（６−２）変形例Ｂ
実施形態では、Ｘ線検査装置１０の記憶部５２は、使用者と、認証後に使用者が実行可能な状態になる処理とを関連付けて記憶する処理情報データベース７１を有している。しかし、Ｘ線検査装置１０の記憶部５２は、処理情報データベース７１の代わりに、認証レベルデータベース１７１と、レベル別処理情報データベース１７２とを有してもよい。図１２は、認証レベルデータベース１７１の一例である。図１３は、レベル別処理情報データベース１７２の一例である。図１４は、本変形例における、制御装置５０のブロック図である。
【００９９】
認証レベルデータベース１７１は、使用者と、認証レベルとを関連付けて記憶する。図１２では、使用者ごとに、主キーである使用者識別情報と、認証レベルとが関連付けられている。各使用者に関連付けられる認証レベルは、複数の認証レベルの内の一つのみである。ここでは、最も低い認証レベルは１であり、最も高い認証レベルは４である。認証レベルは、使用者に付与される権限のレベルを表す。
【０１００】
例えば、認証レベルが１である使用者は、Ｘ線検査装置１０で食品Ａの良否を判定するために必要な最低限の処理のみ実行できる。認証レベルが２である使用者は、さらに、食品Ａの検査速度、および、搬送ユニット１２の搬送方向等の動作設定情報を制御する処理を実行できる。認証レベルが３である使用者は、さらに、食品製造工程の重要管理点（ＣＣＰ）における処理を実行できる。ここで、食品製造工程の重要管理点（ＣＣＰ）における処理とは、例えば、実施形態の感度調整処理等、異物の検出精度に影響を与える検査パラメータを制御する処理の他に、食品Ａの温度の（定期的な）測定結果の記録作業および測定精度の調整作業、および、食品Ａに付着している有害な化学物質の濃度の（定期的な）測定結果の記録作業および測定精度の調整作業等である。認証レベルが４である使用者は、さらに、Ｘ線検査装置１０の特別な動作モードを立ち上げることができる。特別な動作モードとは、例えば、Ｘ線検査装置１０の緊急時における対応および保守点検作業を行うためのモード、および、Ｘ線検査装置１０の納入時に特別な権限を有する使用者を登録する作業を行うためのモードである。本変形例では、１〜４のいずれかの認証レベルが付与されている使用者は、Ｘ線検査装置１０を用いて食品Ａの製造に関する処理を行うためには、自身の目の画像に含まれる虹彩情報によって認証処理を行う必要がある。
【０１０１】
レベル別処理情報データベース１７２は、認証レベルと、認証された場合に実行可能な状態になる処理とを関連付けて記憶する。図１３では、認証レベルごとに、主キーである認証レベルと、処理識別情報とが関連付けられている。処理識別情報は、実施形態と同様に、認証された場合に実行可能な状態になる処理を表すビット列である。
【０１０２】
本変形例では、認証部６３は、実施形態の図１１のステップＳ７において、ステップＳ６で認証された使用者が実行可能な処理に関する情報が、認証レベルデータベース１７１およびレベル別処理情報データベース１７２に基づいて取得される。具体的には、最初に、認証部６３は、認証レベルデータベース１７１に基づいて、認証された使用者の認証レベルを取得する。次に、認証部６３は、レベル別処理情報データベース１７２に基づいて、認証された使用者の認証レベルに対応する、使用者が実行可能な処理に関する情報を取得する。
【０１０３】
本変形例では、食品処理装置管理システム２００の管理者は、認証レベルによって使用者を複数のグループに分け、使用者が実行可能な処理をグループごとに設定することができる。すなわち、管理者は、使用者ごとに、使用者が実行可能な処理を設定する必要がない。そのため、本変形例のＸ線検査装置１０は、認証レベルごとに実行可能な処理を事前に設定し、各使用者に認証レベルを設定することで、各使用者が実行可能な処理を容易に管理することができる。
【０１０４】
（６−３）変形例Ｃ
変形例Ｂでは、Ｘ線検査装置１０の記憶部５２は、認証レベルデータベース１７１と、レベル別処理情報データベース１７２とを有する。認証部６３は、認証された使用者が実行可能な処理に関する情報が、認証レベルデータベース１７１およびレベル別処理情報データベース１７２に基づいて取得される。
【０１０５】
しかし、変形例Ｂでは、認証部６３は、複数の認証レベルの内、最も高い認証レベルが設定された使用者の認証処理を、使用者の目の画像以外に基づいて行ってもよい。図１３に示される認証レベルデータベース１７１では、最も高い認証レベルは４である。認証レベルが４である使用者は、特別な技能および資格を有する者のみが実行する権限を有する処理を実行することができる。
【０１０６】
本変形例では、最高の認証レベルが設定されている使用者（特別な権限を有する使用者）は、自身の目の画像に含まれる虹彩情報による認証処理の他に、虹彩情報以外の方法によっても認証処理を行うことができる。例えば、認証レベルが４である使用者は、モニタ４０を用いて専用のパスワードを入力することで認証処理を行い、専用のモードでＸ線検査装置１０を動作させて、緊急時における対応および保守点検作業を行うことができる。そのため、本変形例のＸ線検査装置１０では、例えば、虹彩撮像装置６０等に不具合が発生した場合のような緊急時でも、最高の認証レベルが設定されている使用者は、虹彩情報による認証処理を行わずに、緊急時における対応の一例としての感度調整処理、および、保守点検作業等を実行することができる。この場合、虹彩情報による認証処理以外の方法で認証処理を行った使用者に関する情報、および、当該使用者が実行した処理に関する情報等が、記憶部５２に自動的に記憶されてもよい。
【０１０７】
（６−４）変形例Ｄ
Ｘ線検査装置１０の記憶部５２は、認証後処理情報データベース１７３をさらに備えてもよい。図１５は、認証後処理情報データベース１７３の一例である。図１６は、本変形例における、制御装置５０のブロック図である。認証後処理情報データベース１７３は、認証部６３によって認証された使用者と、管理部６４によって使用者が実行可能な状態になった処理とを関連付けて記憶する。具体的には、認証後処理情報データベース１７３は、使用者ごとに、主キーである使用者識別情報と、認証後処理識別情報とが関連付けられている。認証後処理識別情報は、使用者が認証された後において、使用者が実行可能となった処理を表す。認証後処理識別情報は、実施形態の処理識別情報と同様に、処理部６１による処理を表すビット列である。
【０１０８】
本変形例では、Ｘ線検査装置１０は、認証された使用者と、認証後の使用者の作業内容とを関連付けて認証後処理情報データベース１７３に記憶しておくことで、食品Ａのトレーサビリティを向上させることができる。なお、作業内容とは、実行された処理を表す情報（処理ＩＤ等）の他、処理中に取得したデータ（値）および処理の結果等を含む。
【０１０９】
また、本変形例では、制御装置５０は、認証後処理情報データベース１７３に含まれるレコードの変更および削除を禁止することが好ましい。すなわち、認証後処理情報データベース１７３は、レコードの追加は認められるが、レコードの変更および削除は禁止されるように構成されていることが好ましい。この場合、認証後処理情報データベース１７３の改竄が防止されるので、認証後処理情報データベース１７３に記憶されている情報の信頼性が向上する。なお、制御装置５０は、他の記録媒体へのレコードの移行が完了した場合等、レコードの保存が担保される条件が満たされた場合には、当該レコードを削除することができるように構成されてもよい。
【０１１０】
また、本変形例では、Ｘ線検査装置１０の記憶部５２ではなく、管理サーバ２１０の記憶部２１２が、認証後処理情報データベース１７３を記憶してもよい。この場合、認証後処理情報データベース１７３は、管理サーバ２１０に接続されているＸ線検査装置１０ごとに、認証部６３によって認証された使用者と、管理部６４によって使用者が実行可能な状態になった処理とを関連付けて記憶する。これにより、食品処理装置管理システム２００は、認証された使用者と、認証後の使用者の作業内容とを関連付けて、複数のＸ線検査装置１０に亘って一括して管理することができる。
【０１１１】
（６−５）変形例Ｅ
実施形態では、図１１のステップＳ６では、ステップＳ５で取得された使用者の虹彩情報が、ステップＳ１で登録された虹彩情報データベース７２に含まれているか否かが判定される。しかし、図１１のステップＳ６では、ステップＳ５で取得された使用者の虹彩情報（認証時虹彩情報）と、ステップＳ１で登録された虹彩情報データベース７２に含まれる虹彩情報（登録済み虹彩情報）との一致率に基づいて、認証時虹彩情報が登録済み虹彩情報に含まれているか否かが判定されてもよい。具体的には、認証部６３は、認証時虹彩情報のビット列と、登録済み虹彩情報のビット列とを比較して、ビットの一致率が所定の値以上の場合、認証時虹彩情報が登録済み虹彩情報に含まれていると判定して、使用者を認証してもよい。
【０１１２】
（６−６）変形例Ｆ
実施形態では、使用者は、シールドボックス１１のブラケットから虹彩撮像装置６０を着脱することができる。そのため、使用者は、ブラケットから取り外した虹彩撮像装置６０を自身の目に近付けて、自身の目の画像を撮像することができる。しかし、Ｘ線検査装置１０は、虹彩撮像装置６０の位置および向きの少なくとも一方を調整可能な機構を有してもよい。この場合、使用者は、自身の目の位置に合わせて虹彩撮像装置６０の位置および向きを調整することで、ブラケットから虹彩撮像装置６０を取り外すことなく、目の画像を撮像することができる。従って、本変形例では、Ｘ線検査装置１０は、使用者の身長に合わせて使用者の目の画像を容易に取得することができる。
【０１１３】
（６−７）変形例Ｇ
実施形態では、Ｘ線検査装置１０の管理部６４は、認証部６３によって認証された使用者が、処理部６１による処理を実行可能な状態にする。しかし、管理部６４は、認証部６３によって使用者の認証が行われた時から所定の時間が経過した場合、認証部６３による使用者の再度の認証が行われるまで、処理部６１による処理を実行不可能な状態にしてもよい。なお、所定の時間として、一定の長さの時間が設定されてもよいし、処理部６１による処理の必要時間が設定されてもよいし、Ｘ線検査装置１０が未操作である状態が維持された時間等が設定されてもよい。この場合、使用者は、認証処理を行って異物混入検査が実行可能となっても、認証された時から所定時間が経過した場合には、認証処理を再度行わないと異物混入検査を続行することができない。これにより、認証処理を行って認証された使用者がＸ線検査装置１０から一時的に離れている間に、他の使用者が、自身の目の画像に基づく認証処理を行うことなく、異物混入検査を実行することができる不具合の発生が抑制される。すなわち、本変形例では、Ｘ線検査装置１０は、認証された使用者と実際の使用者とが異なる場合に、実際の使用者が処理を実行できる状態が維持されることを抑制することができる。
【０１１４】
また、例えば、食品処理装置管理システム２００の管理者が、認証された後に異物の検出精度の調整作業を行う場合、１回目の調整作業が完了した後に再度の調整作業が行われると、２回目以降の調整作業が認証された管理者によって行われたか否かが不明になることがある。そのため、本変形例では、管理部６４は、認証部６３によって認証された使用者が特定の処理（例えば、異物の検出精度の調整作業）を行った場合に、当該使用者が認証部６３によって再度認証されるまで、処理部６１による当該特定の処理を実行不可能な状態にしてもよい。これにより、上記の例では、食品処理装置管理システム２００の管理者は、異物の検出精度の調整作業を行う度に認証処理を行う必要があるので、特別な権限を有さない使用者が調整作業を行ってしまうことが回避される。
【０１１５】
（６−８）変形例Ｈ
変形例Ｄでは、各Ｘ線検査装置１０が、処理情報データベース７１（第２記憶部）および認証後処理情報データベース１７３（第３記憶部）を備えている。しかし、管理サーバ２１０が、処理情報データベース７１および認証後処理情報データベース１７３の一方または両方を備えてもよい。
【０１１６】
（６−９）変形例Ｉ
実施形態では、Ｘ線検査装置１０は、食品Ａの異物混入検査を行う食品処理装置であり、被検査物である食品Ａに対して一つの処理（異物混入検査）を行う装置である。しかし、食品処理装置は、複数の処理を連続的または並列的に行う装置でもよい。例えば、食品処理装置は、Ｘ線検査装置１０と、Ｘ線検査装置１０の下流側に位置するラベル貼付装置とから構成されてもよい。Ｘ線検査装置１０およびラベル貼付装置は、食品Ａの生産ライン上において互いに近い位置にあるので、同じ使用者によって同時に使用される可能性がある。そのため、この食品処理装置は、Ｘ線検査装置１０およびラベル貼付装置の一方の装置の認証処理を使用者が行うことで、他方の装置の認証処理が行われる構成を有してもよい。同様に、食品処理装置が３つ以上の処理装置から構成されている場合でも、当該食品処理装置は、いずれか１つの処理装置の認証処理を使用者が行うことで、その他の全ての処理装置の認証処理が行われる構成を有してもよい。
【０１１７】
（６−１０）変形例Ｊ
実施形態では、食品処理装置管理システム２００の各Ｘ線検査装置１０の記憶部５２は、処理情報データベース７１を有している。しかし、Ｘ線検査装置１０の記憶部５２ではなく、管理サーバ２１０の記憶部２１２が、各Ｘ線検査装置１０の処理情報データベース７１を有してもよい。
【０１１８】
また、変形例Ｂでは、Ｘ線検査装置１０の記憶部５２は、処理情報データベース７１の代わりに、認証レベルデータベース１７１と、レベル別処理情報データベース１７２とを有している。しかし、Ｘ線検査装置１０の記憶部５２ではなく、管理サーバ２１０の記憶部２１２が、各Ｘ線検査装置１０の認証レベルデータベース１７１およびレベル別処理情報データベース１７２を有してもよい。
【０１１９】
本変形例では、食品処理装置管理システム２００は、使用者と、認証された使用者が各Ｘ線検査装置１０において実行することができる処理とを関連付けて、複数のＸ線検査装置１０に亘って一括して管理することができる。
【０１２０】
（６−１１）変形例Ｋ
実施形態では、本発明に係る食品処理装置管理システム２００が管理する食品処理装置は、Ｘ線を用いて食品Ａの異物混入検査を行うＸ線検査装置１０である。しかし、食品処理装置は、Ｘ線検査装置１０に限られない。例えば、食品処理装置は、食品製造工程で用いられる光（赤外線、紫外線および可視光等）による異物検査装置、食品Ａの温度管理装置、食品Ａに用いられる（次亜塩素酸水等の）薬剤の供給管理装置、および、食品Ａに貼り付けられるラベルの印刷装置でもよい。
【０１２１】
食品処理装置がラベル印刷装置である場合、使用者の認証が必要な処理は、例えば、ラベルに印字される情報（商品名、内容物、内容量、消費期限、単価、アレルギー表示等の少なくとも１つを含む、食品に関する情報）を変更および決定する処理である。この処理は、ラベルに印字される情報が適切でない場合には食品Ａを回収する必要が生じるため、所定の権限を有する使用者、または、変形例Ｂにおいて所定の認証レベルを有する使用者によって行われなければならない。
【産業上の利用可能性】
【０１２２】
本発明に係る食品処理装置管理システムおよび食品処理装置管理方法は、使用者を認証する機能を有する複数の食品処理装置を管理する際に、認証処理に用いられる情報の管理を容易にすることができるので、食品の安全性および品質を担保するために有用である。
【符号の説明】
【０１２３】
１０      Ｘ線検査装置（食品処理装置）
６２      撮像部（生体情報取得部）
６３      認証部
６４      管理部
７１      処理情報データベース（第２記憶部）
７２      虹彩情報データベース（第１記憶部）
１７３      認証後処理情報データベース（第３記憶部）
２００      食品処理装置管理システム
Ａ      食品
【先行技術文献】
【特許文献】
【０１２４】
【特許文献１】特開２０１４−７１０７２号公報
【図１】
2019067213.tif 000003
【図２】
2019067213.tif 000004
【図３】
2019067213.tif 000005
【図４】
2019067213.tif 000006
【図５】
2019067213.tif 000007
【図６】
2019067213.tif 000008
【図７】
2019067213.tif 000009
【図８】
2019067213.tif 000010
【図９】
2019067213.tif 000011
【図１０】
2019067213.tif 000012
【図１１】
2019067213.tif 000013
【図１２】
2019067213.tif 000014
【図１３】
2019067213.tif 000015
【図１４】
2019067213.tif 000016
【図１５】
2019067213.tif 000017
【図１６】
2019067213.tif 000018